(57)【要約】      （修正有）【課題】作業機を操縦する送信機を作業者の要望に応じて適宜に携帯することができる送信機用ストラップを提供する。【解決手段】作業者の操作によって作業機を操縦する送信機１００に装着部１１を介して装着される送信機用ストラップ１０であって、装着部１１が取り付けられる環状のストラップ紐２０と、ストラップ紐２０に設けられて作業者に装着される腰袋に取り付けられるフックが取り付けられるフック第１取付部３０と、ストラップ紐２０を折りたたんだ状態で作業者に装着される被服に取り付けられるフックが取り付けられるフック第２取付部４０と、を備える。【選択図】図２
0003219988.tif 000002
【実用新案登録請求の範囲】
【請求項１】
作業者の操作によって作業機を操縦する送信機に装着部を介して装着される送信機用ストラップであって、
前記装着部が取り付けられる環状のストラップ紐と、
該ストラップ紐に設けられて前記作業者に装着される第１装着体に取り付けられるフックが取り付けられるフック第１取付部と、
前記ストラップ紐を折りたたんだ状態で前記作業者に装着される第２装着体に取り付けられるフックが取り付けられるフック第２取付部と、
を備える送信機用ストラップ。
【請求項２】
前記ストラップ紐を前記フック第１取付部において内側に折り込んで折りたたんだ状態で保持するストラップ係着部を備える請求項１に記載の送信機用ストラップ。
【請求項３】
前記第１装着体は、
前記作業者の腰部に装着されて前記送信機が収納される腰袋である、請求項１または２に記載の送信機用ストラップ。
【請求項４】
前記第２装着体は、
前記作業者の被服である、請求項１〜３のいずれか１項に記載の送信機用ストラップ。
【請求項５】
前記被服に設けられたベルトループに前記フック第２取付部に取り付けられた前記フックが取り付けられる、請求項４に記載の送信機用ストラップ。
【考案の詳細な説明】
【技術分野】
【０００１】
本考案は、送信機用ストラップ、特に、作業者の操作によって作業機を操縦する送信機に装着部を介して装着される送信機用ストラップに関する。
【背景技術】
【０００２】
建設現場や土木現場といった作業現場における作業に用いられる作業車両には、例えば、重量物の搬送を行うクレーン等の作業機が搭載されているものがある。このような作業機には、作業機を操縦するコントロールパネルが、作業車両に設けられているものがある（例えば、特許文献１を参照）。
【０００３】
一方、作業機には、持ち運びが可能であって無線通信方式が採用された送信機の操作によって操縦されるものも存在している（例えば、特許文献２を参照）。このような送信機の操作によって操縦される作業機では、送信機を操作する作業者が作業車両の外で作業機を目視しながら操縦することができる。
【０００４】
したがって、送信機によって操縦される作業機では、作業者が作業機の動作を目視して安全性を確認しながら送信機の操作を行うことができる。
【先行技術文献】
【特許文献】
【０００５】
【特許文献１】特開２０１３−２５６３５６公報
【特許文献２】実開平６−６１８９９公報
【考案の概要】
【考案が解決しようとする課題】
【０００６】
ところで、この種の作業機の送信機は比較的高価であることから、送信機を操作する際の不意の脱落によって送信機が破損してしまうことを回避する観点から、送信機が作業者の手から脱落することを防止することが要請される。
【０００７】
一方で、例えば作業者が作業物を手で運搬する等、手を使った作業を行う場合であっても、送信機を作業現場の任意の場所に一時的に放置することなく、作業者が手を使わないで携帯しておきたいという要請もある。
【０００８】
さらに、作業者が手を使わないで送信機を携帯する場合においては、作業内容によって携帯する方法を変える必要があったり、個々の作業者によってその携帯する方法が異なったりすることから、任意にその携帯する方法を変えることができれば便宜である。
【０００９】
本考案は、上記事情に鑑みてなされたものであり、作業機を操縦する送信機を作業者の要望に応じて適宜に携帯することができる送信機用ストラップを提供することを課題とするものである。
【課題を解決するための手段】
【００１０】
上記課題を解決するための本考案に係る送信機用ストラップは、作業者の操作によって作業機を操縦する送信機に装着部を介して装着される送信機用ストラップであって、装着部が取り付けられる環状のストラップ紐と、ストラップ紐に設けられて作業者に装着される第１装着体に取り付けられるフックが取り付けられるフック第１取付部と、ストラップ紐を折りたたんだ状態で作業者に装着される第２装着体に取り付けられるフックが取り付けられるフック第２取付部と、を備えるものである。
【００１１】
この送信機用ストラップによれば、送信機を操作する場合は、環状のストラップ紐を作業者の手に係合させて送信機を操作することが可能であるから、このように送信機を操作するのであれば、作業者が送信機から不意に手を離したとしても、送信機が作業者の手から脱落することが防止される。
【００１２】
一方、作業者が手を使わないで送信機を携帯する場合には、フック第１取付部に取り付けられるフックを作業者に装着される第１装着体に取り付けることによって、送信機と第１装着体とが連結されることから、作業者が手を使わないで送信機を携帯することができる。
【００１３】
さらに、作業者が手を使わないで送信機を携帯する場合において、ストラップ紐を折りたたんだ状態でフック第２取付部に取り付けられるフックを作業者に装着される第２装着体に取り付けることによって、送信機と第２装着体とが連結されることから、作業者が手を使わないで送信機を携帯することができる。
【００１４】
このとき、ストラップ紐が折りたたまれることによって、フック第２取付部に取り付けられるフックが取り付けられる作業者に装着される第２装着体と、装着部を介して取り付けられた送信機とが近接することから、送信機を携帯する際に送信機が過度に揺動することが抑制される。
【００１５】
このように、作業者の作業内容に応じて、あるいは個々の作業者に応じて、送信機を携帯する方法を任意に変更することができることから、送信機を適宜に携帯することができる。
【００１６】
この送信機用ストラップは、ストラップ紐をフック第１取付部において内側に折り込んで折りたたんだ状態で保持するストラップ係着部を備えるものである。したがって、送信機を携帯する際の利便性が向上する。
【００１７】
さらに、フック第１取付部に取り付けられるフックが取り付けられる第１装着体は、作業者の腰部に装着されて送信機が収納される腰袋であってもよく、フック第２取付部に取り付けられるフックが取り付けられる第２装着体は、作業者の被服であってもよい。
【００１８】
フック第２取付部に取り付けられるフックが作業者の被服に取り付けられる場合においては、フックは被服に設けられたベルトループに取り付けられるものであってもよい。
【考案の効果】
【００１９】
この考案によると、作業者の作業内容に応じて、あるいは個々の作業者に応じて、送信機を携帯する方法を任意に変更することができることから、送信機を作業者の要望に応じて適宜に携帯することができる。
【図面の簡単な説明】
【００２０】
【図１】本発明の実施の形態に係る送信機用ストラップの構成の概略を説明する平面図である。
【図２】同じく、本実施の形態に係る送信機用ストラップが送信機に装着された状態の概略を説明する図である。
【図３】同じく、本実施の形態に係る送信機用ストラップの使用方法の概略を説明する図である。
【図４】同じく、本実施の形態に係る送信機用ストラップの使用方法の概略を説明する図である。
【図５】同じく、本実施の形態に係る送信機用ストラップの使用方法の概略を説明する図である。
【図６】同じく、本実施の形態に係る送信機用ストラップの使用方法の概略を説明する図である。
【図７】本実施の形態に係る送信機用ストラップが取り付けられる送信機の概略を説明する図である。
【考案を実施するための形態】
【００２１】
次に、図１〜図７を参照して、本考案の実施の形態について説明する。
【００２２】
本実施の形態に係る送信機用ストラップの説明に先立って、この送信機用ストラップが装着される送信機の概略を、図７を参照して説明する。
【００２３】
図示のように、送信機１００は、作業者によって把持される把持部１０１、作業機を操縦するために操作される複数のスイッチ１０２ａが配備された操作部１０２、及び操作部１０２と把持部１０１との間に架設される把手１０３を主要構成として備える。
【００２４】
作業者は、把持部１０１を把持した状態で、作業機の動作を目視して安全性を確認しながら、操作部１０２に配備されたコントローラ１０２ａを操作して作業機を操縦する。
【００２５】
送信機用ストラップは、このような送信機１００の把手１０３に装着されるものであり、本実施の形態では、例えばナイロン等の合成繊維で形成される。
【００２６】
図１は、本実施の形態に係る送信機用ストラップの構成の概略を説明する平面図である。図示のように、送信機用ストラップ１０は、装着部１１及び装着部１１が取り付けられるストラップ紐２０を備える。
【００２７】
装着部１１は、基端１２ａ及び先端１２ｂを有する帯状の装着部本体１２、装着部本体１２の基端１２ａに設けられる面ファスナの雌部材１３、装着部本体１２の先端１２ｂに設けられる面ファスナの雄部材１４を備える。
【００２８】
この装着部１１は、本実施の形態では、ストラップ紐２０の取付位置Ａにおいてストラップ紐２０に取り付けられる。
【００２９】
ストラップ紐２０は、一端２１ａ及び他端２１ｂを有する帯状の紐体２１、一端２１ａと他端２１ｂとの間に架設されて間隙を介して一端２１ａと他端２１ｂとを連結する連結部２２を備え、正面視で略環状に形成される。
【００３０】
ストラップ紐２０には、連結部２２の内側との間で空隙を有するループ状のフック第１取付部３０が形成される。このフック第１取付部３０には、本実施の形態では、後述するフックが取り付けられる。
【００３１】
ストラップ紐２０には、装着部１１が取り付けられる取付位置Ａと紐体２１の一端２１ａとの間に、紐体２１の外周面との間で空隙を有するループ状の第１取付片４０−１が形成される。
【００３２】
一方、ストラップ紐２０には、装着部１１が取り付けられる取付位置Ａと紐体２１の他端２１ｂとの間に、紐体２１の外周面との間で空隙を有するループ状の第２取付片４０−２が形成される。
【００３３】
これら第１取付片４０−１及び第２取付片４０−２は、取付位置Ａにおいて装着部１１が取り付けられたストラップ紐２０の外周面上において、対称的に配置される。
【００３４】
本実施の形態では、これら第１取付片４０−１及び第２取付片４０−２によって、フック第２取付部４０が構成される。
【００３５】
さらに、ストラップ紐２０には、第１取付片４０−１と紐体２１の一端２１ａとの間に、面ファスナの雄部材（雌部材）で構成されたストラップ第１係着片５０−１が形成される。
【００３６】
一方、ストラップ紐２０には、第２取付片４０−２と紐体２１の他端２１ｂとの間に、面ファスナの雌部材（雄部材）で構成されたストラップ第２係着片５０−２が形成される。
【００３７】
これらストラップ第１係着片５０−１及びストラップ第２係着片５０−２は、取付位置Ａにおいて装着部１１が取り付けられたストラップ紐２０の外周面上において、対称的に配置される。
【００３８】
本実施の形態では、これらストラップ第１係着片５０−１及びストラップ第２係着片５０−２によって、ストラップ係着部５０が形成される。
【００３９】
このような送信機用ストラップ１０のストラップ紐２０を、フック第１取付部３０において内側に折り込んで折りたたむことにより、ストラップ第１係着片５０−１とストラップ第２係着片５０−２とが互いに係着し、ストラップ紐２０が折りたたまれた状態が保持される。
【００４０】
このとき、フック第２取付部４０の第１取付片４０−１と第２取付片４０−２とが互いに近接して、第１取付片４０−１及び第２取付片４０−２に後述するフックが挿通されて、フック第２取付部４０にフックが取り付けられる。
【００４１】
図２は、本実施の形態に係る送信機用ストラップ１０が、送信機１００に装着された状態の概略を説明する図である。図示のように、送信機用ストラップ１０は、その装着部１１が送信機１００の把手１０３に巻回されることによって、送信機１００に装着される。
【００４２】
このとき、面ファスナの雌部材１３と面ファスナの雄部材１４とが係着することから、送信機用ストラップ１０が送信機１００に装着された状態が保持される。
【００４３】
次に、本実施の形態に係る送信機用ストラップ１０の使用方法について説明する。
【００４４】
図３〜図６は、本実施の形態に係る送信機用ストラップ１０の使用方法の概略を説明する図である。送信機用ストラップ１０が装着された送信機１００を操作して作業者が作業機を操縦する場合は、図３で示すように、送信機用ストラップ１０のストラップ紐２０を手Ｈに巻きつけてストラップ紐２０を作業者の手Ｈに係合させた状態で、送信機１００の把持部１０１を把持する。
【００４５】
これにより、作業者が送信機１００を操作する際に、把持部１０１から不意に手を離したとしても、送信機１００が作業者の手から脱落することが防止される。
【００４６】
一方、作業者が作業物を手で運搬する等、手を使った作業を行う場合において、作業者が手を使わないで送信機１００を携帯しておくといった場合には、作業者に装着される第１装着体あるいは第２装着体に取り付けられるフックが送信機用ストラップ１０に取り付けられることによって、送信機１００が作業者に携帯される。
【００４７】
例えば、図４及び図５で示すように、送信機１００を収納する第１装着部である腰袋１２０が作業者の腰部に装着されている場合において、この腰袋１２０に送信機１００を収納して作業者が送信機１００を携帯する場合は、フック第１取付部３０にフック１１０を取り付けておき、このフック１１０を腰袋１２０の係合部１２１に係合させてフック１１０を腰袋１２０に取り付ける。
【００４８】
これにより、フック第１取付部３０に取り付けられたフック１１０を介して、送信機用ストラップ１０が装着された送信機１００と腰袋１２０とが連結されることから、送信機１００が腰袋１２０から不意に脱落することがなく、作業者が手を使わないで送信機１００を携帯することができる。
【００４９】
さらに、例えば図６で示すように、送信機用ストラップ１０のストラップ紐２０を、フック第１取付部３０において内側に折り込んで折りたたんで、ストラップ第１係着片５０−１とストラップ第２係着片５０−２とを係着させてストラップ紐２０が折りたたまれた状態とし、この状態において第１取付片４０−１及び第２取付片４０−２にフックを挿通して、フック第２取付部４０にフック１１１を取り付ける。
【００５０】
このとき、フック第２取付部４０に取り付けたフック１１１を、第２装着体である作業者の被服のベルトループに係合させてフック１１１を作業者の被服のベルトループに取り付ける。
【００５１】
これにより、フック第２取付部４０に取り付けられたフック１１１を介して、送信機用ストラップ１０が装着された送信機１００と作業者の被服のベルトループとが連結されることから、例えば作業者が腰袋１２０を装着していない場合であっても、作業者が手を使わないで送信機１００を携帯することができる。
【００５２】
このように、本実施の形態の送信機用ストラップ１０によれば、送信機１００を操作して作業者が作業機を操縦する場合は、送信機用ストラップ１０のストラップ紐２０を作業者の手に係合させた状態で、送信機１００の把持部１０１を把持することができることから、作業者が把持部１０１から不意に手を離したとしても、送信機１００が作業者の手から脱落することが防止される。
【００５３】
一方、作業者が手を使わないで送信機１００を携帯する場合には、送信機用ストラップ１０のフック第１取付部３０に取り付けられるフック１１０を、腰袋１２０の係合部１２１に係合させて腰袋１２０に取り付けることによって、送信機１００と腰袋１２０とが連結されることから、送信機１００が腰袋１２０から不意に脱落することがなく、作業者が手を使わないで送信機１００を携帯することができる。
【００５４】
さらに、作業者が手を使わないで送信機１００を携帯する場合において、送信機用ストラップ１０のストラップ紐２０を折りたたんだ状態でフック第２取付部４０に取り付けられるフック１１１を、作業者の被服のベルトループに係合させてフック１１１をベルトループに取り付けることによって、送信機１００とベルトループとが連結されることから、例えば作業者が腰袋１２０を装着していない場合であっても、作業者が手を使わないで送信機１００を携帯することができる。
【００５５】
このとき、ストラップ紐２０が折りたたまれることによって、フック第２取付部４０に取り付けられるフック１１１が取り付けられるベルトループと、装着部１１を介して取り付けられた送信機１００とが近接することから、送信機１００を携帯する際に送信機１００が過度に揺動することが抑制される。
【００５６】
しかも、ストラップ紐２０を、フック第１取付部３０において内側に折り込んで折りたたむ際には、ストラップ係着部５０によってストラップ紐２０が折りたたまれた状態が保持されることから、送信機１００を携帯する際の利便性が向上する。
【００５７】
したがって、本実施の形態の送信機用ストラップ１０によれば、作業者の作業内容に応じて、あるいは個々の作業者に応じて、送信機１００を携帯する方法を任意に変更することができることから、送信機１００を作業者の要望に応じて適宜に携帯することができる。
【００５８】
なお、本考案は上記実施の形態に限定されることはなく、考案の趣旨を逸脱しない範囲で種々の変更が可能である。上記実施の形態では、フック第２取付部４０に取り付けられたフック１１１が作業者の被服のベルトループに取り付けられる場合を説明したが、フック１１１が取り付けられる被服の任意の箇所（例えばポケットの縁やボタンホール等）であってもよい。
【００５９】
上記実施の形態では、送信機用ストラップ１０のストラップ紐２０を作業者の手に巻きつけて係合させた状態で送信機１００の把持部１０１を把持する場合を説明したが、ストラップ紐２０を作業者の手首に係合させた状態で送信機１００の把持部１０１を把持することも可能である。
【００６０】
このとき、作業者の手首と手首に係合させたストラップ紐２０との間を締め付けたり緩めたりして調整することが可能なスライダを、ストラップ紐２０に設けることも可能である。
【００６１】
上記実施の形態では、フック第２取付部４０の第１取付片４０−１及び第２取付片４０−２が合成繊維で形成される場合を説明したが、例えば、Ｄ鐶のような金属製の部材で実装することも可能である。
【符号の説明】
【００６２】
１０    送信機用ストラップ
１１    装着部
２０    ストラップ紐
２１    紐体
２２    連結部
３０    フック第１取付部
４０    フック第２取付部
４０−１    第１取付片
４０−２    第２取付片
５０−１    ストラップ第１係着片（ストラップ係着部）
５０−２    ストラップ第２係着片（ストラップ係着部）
１００    送信機
１０１    把持部
１０３    把手
１１０、１１１    フック
１２０    腰袋（第１装着体）
【図１】
0003219988.tif 000003
【図２】
0003219988.tif 000004
【図３】
0003219988.tif 000005
【図４】
0003219988.tif 000006
【図５】
0003219988.tif 000007
【図６】
0003219988.tif 000008
【図７】
0003219988.tif 000009